(57)【特許請求の範囲】
【請求項１】
床面に配置される脚と、
前記脚から立設される脚支柱と、
前記脚支柱の上端に設けられた支持基部と、
前記支持基部の上方に配された座と、
前記支持基部と前記座との間に介在し前記座を前後方向及び左右方向に動作可能に支持する支持機構と、
を備え、
前記支持機構は、左右支持部と前後支持部とからなり、一方を前記支持基部に取り付け、
他方に座を取り付けており、
前記支持基部に肘取付部を有する椅子であって、
前記一方が左右支持部、他方が前後支持部であり、
前記脚支柱の上部に前記支持基部が取付けられ、前記支持基部から左右一対の支持部材を介して前記左右支持部を構成する左右支持部分が配置され、前記左右支持部分に前後一対の支持部材を介して前記前後支持部を構成する前後支持部分が配置され、前記前後支持部分に前記座が取付けられていることを特徴とする椅子。
【請求項２】
前記脚支柱に前記支持基部が取付けられ、前記肘取付部の下方に前記左右支持部分が配置され、前記肘取付部の上方に前記前後支持部分が配置され、前記前後支持部分に前記座が取付けられている請求項１記載の椅子。
【請求項３】
前記肘取付部が、前記左右支持部分、及び前記前後支持部分の間を通って前記支持基部から両側方に延びている請求項２記載の椅子。
【請求項４】
前記支持基部の両側端において前記肘取付部を前記左右支持部及び前記前後支持部よりも外側に突設している請求項１〜３の何れかに記載の椅子。
【請求項５】
肘掛けが、前記肘取付部に着脱可能に設けられている請求項４記載の椅子。
【請求項６】
前記座の下方に、前記座の動作に追従して動作しつつ前記支持機構をカバーするカバー部材を備え、このカバー部材が、前記肘取付部及び前記肘掛けと干渉しないように配置されている請求項５記載の椅子。
【請求項７】
前記左右支持部又は前記前後支持部が、支持部材から被支持部材を懸吊支持するリンク部材を有している請求項１〜６の何れかに記載の椅子。
【請求項８】
前記左右支持部又は前記前後支持部が、支持部材及び被支持部材の何れか一方に設けたカム面と、他方に設けられ前記カム面に沿って摺動するカムフォロアとを有している請求項１〜７の何れかに記載の椅子。
【請求項９】
前記支持基部が、前記脚に対し水平回転可能に設けられている請求項１〜８の何れかに記載の椅子。
【請求項１０】
前記脚支柱が前記支持基部を昇降可能に支持する昇降機構を有するものであり、
前記昇降機構が、伸縮動作を行う昇降機構本体と、伸縮動作を制御するための昇降レバーを有し、
前記昇降レバーを前記肘取付部の下面側に配している請求項１〜９の何れかに記載の椅子。
【請求項１１】
前記一方が前後支持部、他方が左右支持部であることを特徴とする請求項１記載の椅子。
【発明の詳細な説明】
【技術分野】
【０００１】  本発明は、オフィス等において好適に適用され得る椅子に関するものである。
【背景技術】
【０００２】  従来、オフィスや家庭等にて着座者が長時間快適な着座姿勢を維持することを目的とした事務用回転椅子をはじめとした椅子が多く考案されている（例えば、特許文献１参照）。【０００３】  これらの事務用回転椅子は、着座者が作業を進める上で心地良いと感じた動作が可能なように、着座者の主に後傾、前傾動作に応じて座や背凭れが傾動し得るように構成されていたり、着座者の所要の姿勢が実現され得る位置に座および背凭れを固定し得るように構成されたりしている。【０００４】  ところで、長時間事務用回転椅子に着座している着座者は通常、自らが快適とされる姿勢で静止しているように傍目には見られることがあるものの、実際には所要の姿勢から常に腰部および臀部、ひいては大腿部を動作させることにより、当該事務用回転椅子による快適な着座姿勢を保っていることが明らかとなってきた。【０００５】  それ故、着座者の上述したような挙動を好適にサポートし得るような機能を備えることが、現在の椅子には求められているということができる。このようなコンセプトに近いものとして、特許文献２に示すような肘掛けを備えたものを挙げることができる。
【先行技術文献】
【特許文献】
【０００６】
【特許文献１】特開２０１２−０１０９３８号公報
【特許文献２】実用新案登録第３１４４５９３号公報
【発明の概要】
【発明が解決しようとする課題】
【０００７】  ここで、上記特許文献２記載の椅子は、脚上に前後左右同時に動作し得るように構成された座が設けられるとともに脚には別途肘掛けが固定されている。そして肘掛けは、座を支持する支持機構の平面視の動作範囲よりも外方に広がる支持基部に基端を固定され、そこから座の側方に立ち上がっている。【０００８】  斯かる形状であると、支持基部が支持機構との関係で大型化するとともに、支持基部への肘の取付状態が支持基部の大きさや形状で二義的に決まるため、肘の引き出し方向や強度を考慮した場合、肘は座と干渉しない迂回範囲を超えて正面視において大きく張り出した形状となり易く、必然的に大きくなり過ぎてしまうという不具合も招来してしまう。【０００９】  本発明は、上記のような点を解消することを目的としており、着座者が快適な着座感を得ることが可能で、且つ、コンパクトに構成しつつも高い作業効率を安定して維持し得る椅子を提供することを目的とするものである。
【課題を解決するための手段】
【００１０】  本発明は、かかる目的を達成するために、次のような手段を講じたものである。【００１１】  すなわち、本発明に係る椅子は、床面に配置される脚と、前記脚から立設される脚支柱と、前記脚支柱の上端に設けられた支持基部と、前記支持基部の上方に配された座と、前記支持基部と前記座との間に介在し前記座を前後方向及び左右方向に動作可能に支持する支持機構と、を備えた椅子であって、前記支持機構は、左右支持部と前後支持部とからなり、一方を前記支持基部に取り付け、他方に座を取り付けており、前記支持基部に肘取付部を有することを特徴とする。【００１２】  このようなものであれば、座の支持機構を前後支持部と左右支持部による重畳的な組み合わせであっても、支持基部の設計自由度も高くなり、前後支持部及び左右支持部と干渉しないように取り付け易くなる。このため、肘を、座との干渉を回避する範囲を超えて極端に大きく迂回させることなく、且つ適切な強度も確保した形状の設計が容易となる。すなわち、肘は前後左右に移動しないようにすると着座者は意図的に安定性を下げたこのような椅子に座ってもよりどころがあるため安心感を得ることができる。【００１３】
そして、支持基部に支持されている前記一方を左右支持部、他方を前後支持部としているので、肘の取り付け易さと着座者への座り心地を両立させることができる。
【００１４】
さらに、前記脚支柱の上部に前記支持基部を取付け、前記支持基部から左右一対の支持部材を介して前記左右支持部を構成する左右支持部分を配置し、前記左右支持部分に前後一対の支持部材を介して前記前後支持部を構成する前後支持部分を配置し、前記前後支持部分に前記座を取付けるようにしているので、上述した支持部材、左右支持部分、前後支持部分を空間的に効率良く配置しつつ、肘取付部の適切な引出し状態と座の適切な取付位置の確保を有効に実現することができる。
【００１５】  座及び肘取付部を配置するための効率の良い空間的配置を具体的に実現するためには、前記脚支柱に前記支持基部を取付け、前記肘取付部の下方に前記左右支持部分を配置し、前記肘取付部の上方に前記前後支持部分を配置し、前記前後支持部分に前記座を取り付けることが望ましい。【００１６】  肘取付部を引き出す空間を適切に確保するためには、肘取付部を、前記左右支持部分、及び前記前後支持部分の間を通って前記支持基部から両側方に延びるように構成することが望ましい。【００１７】  肘の取り付け場所を適切に確保するためには、前記支持基部の両側端において前記肘取付部を前記左右支持部及び前記前後支持部よりも外側に突設することが望ましい。【００１８】  また、肘掛けの取り付け作業の簡素化を図り、後付け構造としてオプション化も容易に行い得るようにするためには、前記肘掛けを、前記肘取付部に着脱可能に設けることが望ましい。【００１９】  肘取付部の引き出し位置周辺の見栄えを、座の動作と干渉することなく向上させるためには、前記座の下方に、前記座の動作に追従して動作しつつ前記支持機構をカバーするカバー部材を備え、このカバー部材が、前記肘取付部及び前記肘掛けと干渉しないように配置することが望ましい。【００２０】  そして、前記左右支持部又は前記前後支持部が、支持部材から被支持部材を懸吊支持するリンク部材を有しているものとすれば、肘取付部を引き出すための上下方向の空間をリンク部材の懸吊距離の間で確保し易いものとなる。【００２１】  肘取付部を引き出すための上下方向の空間を極力狭めないようにするためには、前記左右支持部又は前記前後支持部が、支持部材及び被支持部材の何れか一方に設けたカム面と、他方に設けられ前記カム面に沿って摺動するカムフォロアとを有しているようにすることが望ましい。すなわちこのようなカム構造にすると、水平方向の動作が主体となるため、肘取付部を引き出すための上下方向の空間を極力狭めないようにすることができる。【００２２】  前記支持基部が、前記脚に対し水平回転可能に設けられているものとすれば、回転椅子であっても肘付き椅子の前後左右揺動動作を有効に実現できるものとなる。【００２３】  昇降レバーを肘取付部とともに支持基部から適切に引き出すことができるようにするためには、前記脚支柱が前記支持基部を昇降可能に支持する昇降機構を有するものとし、前記昇降機構を、伸縮動作を行う昇降機構本体と、伸縮動作を制御するための昇降レバーを有するものとし、前記昇降レバーを前記肘取付部の下面側に配するように構成することが望ましい。【００２４】  また、肘取付部は、前後支持部に設けてもよい。着座者は前方向は脚で踏ん張ることができ、後方向は背もたれで支えられているため、この方向に転倒することは無く、肘が前後方向のみに移動する場合には着座者は不安感を感じない。すなわち、前記一方が前後支持部、他方が左右支持部であるものとしても良い。
【発明の効果】
【００２５】  以上説明した本発明によれば、着座者が快適な着座感を得ることが可能で、且つ、肘取付部の設計の自由度を高め、作業効率を安定して維持し得る椅子を提供することができる。
【図面の簡単な説明】
【００２６】
【図１】本発明の第一実施形態に係る椅子の斜視図。
【図２】同正面図。
【図３】同右側面図。
【図４】同斜め下方斜視図。
【図５】本実施形態に係る椅子を座から上の要素部品を取り除いた状態で示す斜視図。
【図６】同正面図。
【図７】同右側面図。
【図８】同平面図。
【図９】図５の一部分解斜視図。
【図１０】図９の更なる分解斜視図。
【図１１】本実施形態に係る動作説明図。
【図１２】同上
【図１３】本発明の第二実施形態に係る椅子の斜視図。
【図１４】同正面図。
【図１５】同右側面図。
【図１６】同斜め下方斜視図。
【図１７】本実施形態に係る要部の分解斜視図。
【図１８】本実施形態に係る動作説明図。
【図１９】同上。
【図２０】同上。
【発明を実施するための形態】
【００２７】  ＜第一実施形態＞
【００２８】  以下、本発明の第一実施形態を、図面を参照して説明する。
【００２９】  図１は本実施形態に係る椅子の斜視図、図２は同正面図、図３は同右側面図、図４は同斜め下方斜視図である。また、図５は本実施形態に係る椅子を座から上の要素部品を取り除いた状態で示す斜視図、図６は同正面図、図７は同右側面図、図８は同平面図である。図９は図５の一部分解斜視図、図１０は図９の更なる分解斜視図である。図１１及び図１２は椅子全体の動作説明図である。
【００３０】  これらの図面に示されるように、この椅子は、床面から立設される脚１と、この脚１の上方に配された座２および背３と、座２を昇降かつ回転自在に支持するために脚１に取付けられた脚支柱１３と、脚支柱１３の上端に固定され、脚支柱１３と一体的に水平回転はするが座２の動作に追従して前後左右には動作しないように構成された支持基部４と、この支持基部４と座２との間に介在して座２を前後方向及び左右方向に動作可能に支持する動作機構５と、支持基部４に支持された肘取付部６と、動作機構５をカバーするための可動のカバー部材７とを具備する。
【００３１】  座２及び背３はこの実施形態では一体をなすもので、図５に示すように背座一体形のアウターシェル２０の座対応部２２に座構成要素２ａが取り付けられ、背対応部２３に背構成要素３ａが取り付けられている。勿論、背３の前後傾動動作に対して座２が一定の比率で同方向に連動する背座シンクロロッキング構造のものであっても、座２の支持に本実施形態の支持機構５が適用できることは言うまでもない。
【００３２】  脚１は、キャスタ１１に支持された脚羽根１２を有し、その中心孔に脚支柱１３をはめ込んだもので、この脚支柱１３は下部外筒に対して上部支柱が相対回転可能に構成されているもので、図１０等に示すように支持基部４が回転可能な上部支柱に取り付けられている。脚支柱１３は昇降機構を構成する昇降機構本体であるガススプリング１４であり、支持基部４を貫通した位置にガススプリング１４の操作端１４ａが配置されている。
【００３３】  支持基部４は、底壁４１、一対の前後壁４２、一対の側壁４３を舟形状をなすように一体的に設けた強度部材よりなるもので、底壁４１が脚支柱に取り付けられている。
【００３４】  動作機構５は、座２および背３を一定範囲内で一定の軌跡に沿って各々複数の方向に移動可能に支持するもので、具体的には、前後方向及び左右方向に移動させることが可能な前後方向の動作部分５Ａ及び左右方向の動作部分５Ｂからなる。動作機構５は単に座２および背３を移動させるだけでなく、座２を前後および左右に移動させながら荷重を支持する支持機構でもあり、以下、動作機構５は必要に応じて支持機構５とも称する。
【００３５】  支持機構５は、座２を左右方向に動作可能に支持する左右支持部５１及び座２を前後方向に支持する前後支持部５２を有する。
【００３６】  左右支持部５１は、支持部材である支持基部４から下方に被支持部材である左右支持部分すなわち一対の軸５１ａを左右支持部材であるリンク部材５１ｂを介して懸吊支持させたもので、一対の軸５１ａは左右方向へ揺動可能に支持される。この軸５１ａは支持基部４の下方に配置されている。すなわち、左右支持部分である一対の軸５１ａは左右支持部材であるリンク部材５１ｂと連動し得るように接続している。
【００３７】  前後支持部５２は、左右支持部分である一対の軸５１ａに接続部材５３を介して取り付けられている。接続部材５３は、前記一対の軸５１ａを取り付けた前後対をなすブラケット５３ａと、このブラケット５３ａの上方に支持基部４にオーバーハングするように取り付けた下向きに開口する箱体状の揺動体５３ｂとを備える。そして、この揺動体５３ｂの前端部に前後支持部材であるカム面５２ａとカムフォロア５２ｂを介して前後支持部分である座支持壁５２ｃの前端部が支持され、後端部が前後支持部材であるリンク部材５２ｄを介して前後支持部分である座支持壁５２ｃの後端部が支持されている。すなわち、前後支持部分である座支持壁５２ｃは支持基部４の上方に配置されている。また本実施形態では揺動体５３ｂにカムフォロア５２ｂを間接的に設ける一例として、揺動体５３ｂの前端に固定された前側のブラケット５３ａの上端部分の板金素材を前方へ屈曲させ、当該屈曲部分にカムフォロア５２ｂを軸着する態様を適用している。すなわち、前後支持部分である座支持壁５２ｃは前後支持部材であるカム面５２ａ、カムフォロア５２ｂ及びリンク部材５２ｄと連動するように接続している。
【００３８】  そして、この座支持壁５２ｃの上端に座２を取り付けている。
【００３９】  左右支持部５１のリンク部材５１ｂは、基準位置で上方に向けて拡開した形状をなしていることにより、基準位置から左右支持部分である軸５１ａが揺動するに伴って図６に基づいて後述するカバー部材７２の中で図中矢印で示すように移動方向先端を下向きに傾斜させ、且つ、基準位置から変位するにつれて軸５１ａ、５１ａの間の中心位置が高くなるように移動する。
【００４０】  また、前後支持部分である座支持壁５２ｃは、基準位置で前下方に傾斜するカム面５２ａの中間位置をカムフォロア５２ｂに前端部が支持され、基準位置で前下方に垂下するリンク部材５２ｄに後端部が支持されるように設定されている。このため、図７に基づいて後述する前後カバー部材７２の中で、基準位置から前後支持部分である座支持壁５２ｃが前方に移動すると前端が下がって後端が上がり、後方に移動すると前端が上がって後端が下がり、且つ、基準位置から変位するにつれて座支持壁５２ｃの中心位置が高くなるように移動する。
【００４１】  これにより、座２は前後方向に移動しながら左右方向にも移動でき、移動先端側から下方に傾斜し、基準位置から変位するにつれて座２の中心位置が高くなるように支持される。
【００４２】  肘取付部６は、支持基部４に一体に設けられたもので、先端６ａを左右側方に引き出されている。
【００４３】  具体的には、脚支柱１３の上部に取り付けられた支持基部４の上部より前後支持部５２が位置し、支持基部４の上部より下方に左右支持部５１が配置されているので、前後支持部５２と左右支持部５１の間には肘取付部６を引き出す空間が存在している。このため、肘取付部６は、前後支持部５２及び左右支持部５１と干渉しない状態で側方に引き出すことが可能となっている。
【００４４】  より具体的には、支持基部４に左右一対の支持部材であるリンク部材５１ｂが垂下するように枢着され、このリンク部材５１ｂに支持される左右支持部分である軸５１ａからブラケット５３ａを介して前後一対の支持部材であるカム面５２ａ、カムフォロア５２ｂおよびリンク軸５２eが配置されている。そしてこれらカム面５２ａ、カムフォロア５２ｂおよびリンク部材５２ｄに前後支持部分である座支持壁５２ｃが取り付けられている。更にこの座支持壁５２ｃには座２が取り付けてある。すなわち、リンク部材５１ｂが支持基部４から垂下されることによってリンク部材５１ｂの下端に位置付けられる左右支持部分である軸５１ａは支持基部４から下方に離れた位置に配置される。加えて、カム面５２ａ、カムフォロア５２ｂおよびリンク部材５２ｄにより座支持壁５２ｃは前後方向の動作時に揺動しながら略水平方向に動くことにより大きく上下動を行わないため、肘取付部６を引き出す空間と、座２を取り付けるための取付場所とが適切に確保されたものとなっている。
【００４５】  支持基部４には、固定カバー４４が取り付けてある。この固定カバー４４は、左右の固定側壁４４ａと、固定前壁４４ｂと、固定後壁４４ｃとを平面視枠体状に一体化して設けるとともに、固定側壁４４ａ及び固定前壁４４ｂの交差部と、固定側壁４４ａ及び固定後壁４４ｃの交差部とに亘って、側方に延出するように肘固定部４４ｄが一体的に設けてある。具体的な取付手順は種々とり得るが、支持基部４が前固定カバー４４の前記枠体状の空間内に配置され、肘取付部６が固定カバー４４の側壁４４ａに設けた開口４４ａ１を介して側方、かつ肘固定部４４ｄの下方に密接する位置に突出して設けられる。
【００４６】  そして、この肘固定部４４ｄの下面側に、前記ガススプリング１４の操作端１４ａを操作するための図２に示す操作レバー１４ｂが配してある。
【００４７】  そして、図６並びに図１１に示すように、この肘取付部６に肘掛け８を着脱可能に取り付け得るようにしている。なお、肘掛け８は、肘取付部６の下方又は側方からボルト等の締結部材により固定される。
【００４８】  一方、可動のカバー部材７は、図１０に示すように左右支持部５１に取り付けられた左右カバー部材７１と、前後支持部５２に取り付けられた前後カバー部材７２と、これら左右カバー部材７１及び前後カバー部材７２間に介在する補間カバー部材７４とを有するものであり、これら前後カバー部材７２、左右カバー部材７１及び補間カバー部材７４の組み合わせによって構成されている。そして、カバー部材７１、７２の各々が前記複数の動作部分５Ａ、５Ｂの動作に応じて一定範囲内で互いに一定の軌跡に沿って相対的に異なる方向に移動する。
【００４９】  具体的には、左右カバー部材７１は、略Ｌ字型をなす左右一対の起立壁７１ａを備えるもので、カバー取付部材７３に取り付けられている。このカバー取付部材７３は、前後一対の支持板７３ａと、支持板７３ａ、７３ａ間を接続する蓋板７３ｂとを備え、支持板７３ａが前記左右支持部分たる軸５１ａとともにリンク部材５１ｂの揺動端に揺動可能に取り付けられている。取付状態において、前後支持部分である座支持壁５２ｃは前後カバー部材７２の内側に配置され、座支持壁５２ｃは前後カバー部材７２とともに左右に揺動動作を行う。
【００５０】  そして図１１に示すように、座支持壁５２ｃの左右方向の揺動動作に伴い座支持壁５２ｃに固定されている座２は背３とともに左右に揺動動作を行う。図１１では座２が同図左側へ揺動動作を行った動作を図示しているが、同様に同図右側へも座２が動作し得ることはいうまでもない。
【００５１】  ここで、支持基部４に設けられた肘取付部６に着脱可能に取り付けられた肘掛け８は、座２の揺動動作に応じて動作することはない。また肘掛け８は、座２の左右方向への揺動動作の動作端においても座２に接触することがない形状に設定されている。
【００５２】  一方、前後カバー部材７２は、起立する左右の側壁７２ａと、前壁７２ｂと、後方に傾斜する後壁７２ｃとを平面枠体状に接続した構造のもので、内側に左右カバー部材７１を収容し得る空間を有している。この前後カバー部材７２は、前記前後支持部分である座支持壁５２ｃに取り付けられ、座支持壁５２ｃとともに左右揺動および前後揺動を行いつつ、側壁７２ａ及び前壁７２ｂで前後支持部材であるカム面５２ａ及びカムフォロア５２ｂを目隠しし、側壁７２ａ及び後壁７２ｃで前後支持部材であるリンク部材５２ｄを目隠しする。このために、側壁７２ａは逆Ｌ字形をなしている。そして図４に示すように、前壁７２ｂの下端部分には、略水平に配された前底壁７２ｂ１が設けられている。この前底壁７２ｂ１が、常に補間カバー部材７４の一部に接し得る。
【００５３】  他方、補間カバー部材７４は、左右カバー部材７１及び前後カバー部材７２の間に介在するものである。具体的に説明すると、補間カバー部材７４は、前側のカバー取付部材７３の上端部に軸７４ａによって回転可能に係合することにより、前後方向に回動可能に取り付けられるものである。
【００５４】  左右カバー部材７１の対向する側壁７１ａ、７１ａ間の開口及び前後カバー部材７２の対向する側壁７２ａ、７２ａ間の開口が連なるところは、左右支持部５１と前後支持部５２を接続するための既述の接続部材５３を配置する空間となっている。
【００５５】  図５及び図８において、前後カバー部材７２の側壁７２ａは左右カバー部材７１の側壁７１ａに近接しているが、前後カバー部材７２は左右カバー部材７１とともに左右に揺動するため、この隙間は維持される。一方、左右カバー部材７１は前後揺動せず、前後カバー部材７２が前後揺動するため、前後カバー部材７２の前壁７２ｂと左右カバー部材７１の側壁７１ａの前端との間、及び、前後カバー部材７２の後壁７２ｃと左右カバー部材７１の側壁７１ａの後端との間には、それぞれ相対動作によって干渉しない程度の隙間が設けてある。
【００５６】  これによりカバー部材７は、左右カバー部材７１及び前後カバー部材７２が互いに隙間を介して近接しながら相対動作する。
【００５７】  このように、カバー部材７１、７２は座２の動作に追従して動作しつつ、支持機構５をカバーすることができる。すなわち、座２の左右方向の移動に対しては、支持機構５を構成する左右支持部５１が左右方向に揺動するに伴い、カバー部材７１、７２が図６に矢印で示すように同じく左右方向に揺動しながら、支持機構５をカバーする。このとき、前後カバー部材７２は、側壁７２ａの下方に凹部７２ａ１が設けてあり、前後カバー部材７２が左右に揺動しても支持基部４の構成要素との干渉が回避されている。また、図１０に示すように、左右カバー部材７１を取り付けたカバー取付部材７３の蓋板７３ｂにはスリット７３ｂ１が設けてあり、揺動時にこのスリット７３ｂ１内に支持基部４の前後壁４２を受け入れることで、カバー取付部材７３を支持基部４に密接に配置しても両者の干渉を回避しつつ、支持基部４と左右支持部５２の間の隙間に常に挿入されている当該隙間を閉止する隙間挿入板の役割を果たしている。
【００５８】  ここで、図１２に示すように、前後支持部分である座支持壁５２ｃは前後支持部材であるカム面５２ａ、カムフォロア５２ｂ及びリンク部材５２ｄと連動するように接続しているため、座支持壁５２ｃに固定された座２は前後方向へ揺動する。同図では座２が後方すなわち図示右側へ揺動動作したときを図示しているが勿論、座２は図３に示した状態よりも前方へも揺動し得るものとなっている。
【００５９】  このような座２の前後方向の移動に対しては、支持機構５を構成する前後支持部５２が前後方向に揺動するに伴い、前後カバー部材７２は図７に示すように同じく前後方向に揺動するが、左右支持部５１は前後方向へは揺動しない。したがって、左右カバー部材７１の側壁７１ａの逆Ｌ字をなす下方突出部分７１ｚ、及び、前後カバー部材７２の側壁７２ａの逆Ｌ字をなす下方突出部分７２ｚが、リンク部材５２ｄの動作範囲を共同して目隠し、左右カバー部材７１は前後カバー部材７２の前記凹部７２ａ１と支持基部４との隙間を閉止するものとなっている。
【００６０】  したがって、カバー部材７１、７２同士が複雑な動きをしてもカバー部材７１、７２間や支持基部４とカバー部材７１、７２との間に異物が挟みこまれるおそれが解消される。
【００６１】  他方図１２に示すような座２の前後方向の揺動動作時においても、支持基部４に設けられた肘取付部６に着脱可能に取り付けられた肘掛け８は、座２の揺動動作に応じて動作することはない。また、図１１に示すように肘掛け８は、座２の左右方向への前後動作の動作端においても座２に接触することがない。
【００６２】  併せて座２の前後方向の移動の際、カバー取付部材７３の前端に回動可能に取り付けられている補間カバー部材７４は、前後カバー部材７２の内部において左右カバー部材に対し軸７４ａを中心とする回動動作を行う。換言すれば、補間カバー部材７４は基端側の軸７４ａを中心としつつ先端側において前後カバー部材７２の前底壁７２ｂ１に凭れるように接しながら回動動作を行う。これにより、左右カバー部材７１の前端部分と前後カバー部材７２との間に隙間が出来ることが有効に回避されている。
【００６３】  また本実施形態では、何れのカバー部材７１、７２にも、丸孔からなる貫通孔７ｘが設けられている。貫通孔７ｘは、本実施形態では両カバー部材７１、７２にそれぞれ設けられた貫通孔７１ｘ、７２ｘからなる。これらの貫通孔７１ｘ、７２ｘは、縦横に等間隔で複数個、さらに言えば前後左右に略等ピッチで、各面の全体に配されている。カバー部材の縁部付近では孔径を小さくしている。また、一の前記貫通孔７１ｘ、７２ｘを外面側から見たときに他の前記貫通孔７１ｘ、７２ｘを内面側から視認可能なように、貫通孔７１ｘ、７２ｘは動作機構５を囲む面に配されている。貫通孔７１ｘ、７２ｘが、カバー部材７１、７２の対向２面、または隣接２面に設けられている箇所では、特に一の貫通孔を外面側から見たときに他の前記貫通孔を内面側から視認し易い状態となり、投光性が確保され易い。さらには、貫通孔７１ｘ、７２ｘが立面の全面に配されていることから、何れの方向に対しても投光性が確保されたものとなっている。この実施形態の貫通孔は、直径８mmの円柱を挿通し得ない大きさ及び形状をなす。このような貫通孔７１ｘ、７２ｘの開口率は、当該貫通孔７１ｘ、７２ｘを有する各面において１０％以上、更に好ましくは１５％以上であることが望ましい。なお、貫通孔７ｘの形状は円形に限らず、スリット状の貫通孔や十字型の貫通孔等、種々の形状が採用される。また貫通孔７ｘは両カバー部材７１、７２ともに設けられる態様に限られることはなく、何れか一方のカバー部材７１（７２）のみに配される態様としてもよい。
【００６４】  ＜第二実施形態＞
【００６５】  以下、本発明の第二実施形態について図面を参照して説明する。同実施形態において上記実施形態における構成要素に相当するものに対しては同じ符号を付すとともに、その詳細な説明を省略する。
【００６６】  図１３は本実施形態に係る椅子の斜視図、図１４は同正面図、図１５は同右側面図、図１６は同斜め下方斜視図である。また、図１７は本実施形態に係る椅子を座から上の要素部品を取り除いた分解斜視図である。図１８〜図２０は椅子全体の動作説明図である。
【００６７】  これらの図面に示されるように、この椅子は上記第一実施形態同様、床面から立設される脚１と、この脚１の上方に配された座２および背３と、座２を昇降かつ回転自在に支持するために脚１に取付けられた脚支柱１３と、脚支柱１３の上端に設けられ、脚支柱１３と一体的に水平回転はするが座２の動作に追従して前後左右には動作しないように構成された支持基部４と、この支持基部４と座２との間に介在して座２を前後方向及び左右方向に動作可能に支持する動作機構５と、支持基部４に支持された肘取付部６と、動作機構５をカバーするための可動のカバー部材７とを具備する。
【００６８】  ここで本実施形態では、肘取付部６に肘掛け８を取り付けた状態を図示しているとともに、可動のカバー部材７として、形状を上記実施形態とは異ならせたものを適用している。本実施形態に係る可動のカバー部材７は、上記実施形態のものに比べ、特に後方部分をよりコンパクトな形状としている。
【００６９】  以下、本実施形態について、可動のカバー部材７の形状並びに椅子の揺動動作に伴う可動のカバー部材７の挙動を主に説明していく。なお本実施形態においても、何れのカバー部材７１、７２にも、上記実施形態同様の丸孔からなる貫通孔７ｘである貫通孔７１ｘ、７２ｘが設けられているが、本実施形態では当該貫通孔７ｘの図示を省略している。
【００７０】  可動のカバー部材７は、図１７に示すように左右支持部５１に取り付けられた左右カバー部材７１と、前後支持部５２に取り付けられた前後カバー部材７２と、これら左右カバー部材７１の前端側及び前後カバー部材７２間に介在する補間カバー部材７４と、左右カバー部材７１の後端側及び前後カバー部材７２間に介在する上記実施形態では設けられていなかった後カバー部材７５とを有するものである。つまり可動のカバー部材７は、前後カバー部材７２、左右カバー部材７１、補間カバー部材７４及び後カバー部材７５の組み合わせによって構成されている。そして、カバー部材７１、７２の各々が前記複数の動作部分５Ａ、５Ｂの動作に応じて一定範囲内で互いに一定の軌跡に沿って相対的に異なる方向に移動する。
【００７１】  具体的には、左右カバー部材７１は、本実施形態では略Ｌ字型をなす左右一対の起立壁７１ａを備えるもので、カバー取付部材７３に取り付けられている。このカバー取付部材７３は、前後一対の支持板７３ａと、支持板７３ａ、７３ａ間を接続する接続板７３ｃとを備え、支持板７３ａが前記左右支持部分たる軸５１ａとともにリンク部材５１ｂの揺動端に揺動可能に取り付けられている。
【００７２】  ここで本実施形態では、左右カバー部材７１側に、肘取付部６を挿通させ得る肘挿通孔７６が形成されている。具体的にこの肘挿通孔７６は、左右一対の起立壁７１ａと接続板７３ｃとの間に設けられた概略矩形状をなす開口であり、斜め上方に面するように形成されている。
【００７３】  そして図１８に示すように、座支持壁５２ｃの左右方向の揺動動作に伴い座支持壁５２ｃに固定されている座２は背３とともに左右に揺動動作を行う。図１８では座２が同図左側へ揺動動作を行った動作を図示しているが、同様に同図右側へも座２が動作し得ることはいうまでもない。
【００７４】  ここで、支持基部４に設けられた肘取付部６に着脱可能に取り付けられた肘掛け８は、座２の揺動動作に応じて動作することはなく、左右カバー部材７１は左右支持部５１の動作とともに左右に揺動動作を行うが、上述した肘挿通孔７６が設けられることにより、左右カバー部材７１と肘取付部６とは不要に大きな隙間も形成されず且つ接触しないようになっている。
【００７５】  前後カバー部材７２は、起立する左右の側壁７２ａと、前壁７２ｂと、後方に起立する後壁７２ｃとを平面枠体状に接続した構造のもので、内側に左右カバー部材７１を収容し得る空間を有している。この前後カバー部材７２は、座支持壁５２ｃに取り付けられ、座支持壁５２とともに左右揺動および前後揺動を行いつつ、側壁７２ａ及び前壁７２ｂで前後支持部材であるカム面５２ａ及びカムフォロア５２ｂを目隠しする。そして図１６、図１９及び図２０に示すように、前壁７２ｂの下端部分には、略水平に配された前底壁７２ｂ１が設けられている。この前底壁７２ｂ１が、常に補間カバー部材７４の一部に接し得る。
【００７６】  本実施形態ではこの左右の側壁７２ａの形状が上記実施形態のような逆Ｌ字形をなしておらず、略矩形状をなしているため、後壁７２ｃと左右カバー部材７１との間には若干の隙間が形成されることとなる。
【００７７】  補間カバー部材７４は、左右カバー部材７１及び前後カバー部材７２の間に介在するものである。具体的に説明すると、補間カバー部材７４は図１６、図１９及び図２０に示すように、前側のカバー取付部材７３の上端部に軸７４ａによって回転可能に係合することにより、前後方向に回動可能に取り付けられるものである。
【００７８】  そして本実施形態では、前後カバー部材７２の後端部分に湾曲形状をなした板状の後カバー部材７５が取り付けられる。この後カバー部材７５が、後壁７２ｃと左右カバー部材７１との間に形成される隙間を埋める役割を果たしている。
【００７９】  左右カバー部材７１は前後揺動せず、前後カバー部材７２が前後揺動するため、前後カバー部材７２の前壁７２ｂと左右カバー部材７１の側壁７１ａの前端との間、及び、前後カバー部材７２の後壁７２ｃ近傍に設けられた後カバー部材７５と左右カバー部材７１の側壁７１ａ及び後壁７１ｃの後端との間には、それぞれ相対動作によって干渉しない程度の隙間が設けてある。
【００８０】  これによりカバー部材７は、左右カバー部材７１及び前後カバー部材７２が互いに隙間を介して近接しながら相対動作する。
【００８１】  このように、カバー部材７１、７２は座２の動作に追従して動作しつつ、支持機構５をカバーすることができる。
【００８２】  ここで、図１９及び図２０に示すように、上記実施形態同様に座２は前後方向へ揺動する。このような座２の前後方向の移動に対しては、支持機構５を構成する前後支持部５２が前後方向に揺動するに伴い、前後カバー部材７２は図７に示すように同じく前後方向に揺動するが、左右カバー部材７１は前後方向へは揺動しない。しかしながら本実施形態では、左右カバー部材７１の前端側には上記実施形態同様の補間カバー部材７４が設けられ、後端側には後カバー部材７５が設けられている。これにより、左右カバー部材７１の前端部分並びに後端部分と前後カバー部材７２との間に大きく隙間が出来ることが有効に回避されている。
【００８３】  併せて座２の前後方向の移動の際、カバー取付部材７３の前端に回動可能に取り付けられている補間カバー部材７４は、前後カバー部材７２の内部において左右カバー部材に対し軸７４ａを中心とする回動動作を行う。換言すれば、補間カバー部材７４は基端側の軸７４ａを中心としつつ先端側において前後カバー部材７２の前底壁７２ｂ１に凭れるように接しながら回動動作を行う。これにより、左右カバー部材７１の前端部分と前後カバー部材７２との間に隙間が出来ることが有効に回避されている。
【００８４】  特に本実施形態では図１７では実線で、図１９及び図２０にて破線で示すように、前後カバー部材７２の内部後端付近において後カバー部材７５が前後カバー部材７２に固定されている。そして座２の前後方向での揺動の際、後カバー部材７５は左右カバー部材７１の後壁７１ｃの上端部分に対し僅かながらの隙間を確保しつつ前後カバー部材７２とともに揺動動作を行い得るようになっている。
【００８５】  したがって、カバー部材７１、７２同士が複雑な動きをしてもカバー部材７１、７２間や支持基部４とカバー部材７１、７２との間に異物が挟みこまれるおそれが解消される。
【００８６】  以上のように、本実施形態の椅子は、床面に配置される脚１と、脚１から立設される脚支柱１３と、脚支柱１３の上端に設けられた支持基部４と、支持基部４の上方に配された座２と、支持基部４と座２との間に介在し座２を前後方向及び左右方向に動作可能に支持する支持機構５と、を備えた椅子である。そして、支持機構５は、左右支持部５１を支持基部４に左右方向に動作可能に取り付け、及び前後支持部５２を左右支持部５１に前後方向に動作可能に取り付けたものであり、前後支持部５１に座２を取り付けており、支持基部４に肘取付部６を有するものとしたものである。
【００８７】  このように、座２の支持機構５を前後支持部５１と左右支持部５２による直列的な組み合わせにすれば、肘取付部６の設計の自由度が増す。このため、肘７を、座２との干渉を回避する範囲を超えて極端に大きく迂回させることなく、且つ適切な強度も確保した形状の設計が容易となる。
【００８８】  この場合、脚支柱１３の上部に支持基部４が取付けられ、支持基部４から左右支持部材であるリンク部材５１ｂを介して左右支持部５１を構成する左右支持部分５１ａが配置され、左右支持部分５１ａに前後支持部材であるカム部材及びリンク部材５２ｄを介して前後支持部５２を構成する前後支持部分５２ｃが配置され、前後支持部分５２ｃに座２が取付けられるようにしている。
【００８９】  このように構成すると、支持部材であるリンク部材５１ｂ、カム面５２ａ、カムフォロア５２ｂやリンク部材５２ｄ、左右支持部分５１ａ、前後支持部分５２ｃを空間的に効率良く配置しつつ、肘取付部６の適切な引出し状態と座の適切な取付位置の確保が可能となる。
【００９０】  また、脚支柱１３に支持基部４が取付けられ、支持基部４の下方に左右支持部分５１ａが配置され、支持基部４の上方に前後支持部分５２ｃが配置され、前後支持部分５２ｃに座２が取付けられている。
【００９１】  このようにすれば、座２及び肘取付部６を配置するための効率の良い空間的配置を具体的に実現することができる。
【００９２】  また、肘取付部６が、支持基部４より下方に配置された左右支持部分５１ａ、及び支持基部４より上方に配置された前後支持部分５２ｃの間を通って支持基部４から両側方に延びている。
【００９３】  このようにすると、肘取付部６を引き出す空間を適切に確保することができる。
【００９４】  また、支持基部４の両側端において肘取付部６を左右支持部５１及び前後支持部５２よりも外側に突設している。
【００９５】  本実施形態は、支持基部４が左右支持部５１や前後支持部５２との関係で大型化することがないため、脚１の上端にコンパクトに配置することもできる。そして、肘取付部６を左右支持部５１及び前後支持部５２よりも外側に突設することで、肘掛け８の取り付け場所を適切に確保することができる。
【００９６】  また、肘掛け８が、肘取付部６に着脱可能に設けられている。
【００９７】  このようにすれば、肘掛け８の取付作業の簡易化が図れるとともに、後付け構造となってオプション化も容易となる。
【００９８】  また、座２の下方に、座２の動作に追従して動作しつつ支持機構５をカバーするカバー部材７を備え、このカバー部材７が、肘取付部６及び肘掛け８と干渉しないように配置されている。
【００９９】  このようにすれば、肘取付部６の引き出し位置周辺の見栄えを、座２の動作と干渉することなく向上させることができる。
【０１００】  また、肘取付部６はカバー部材７よりも外方に突出している。
【０１０１】  このようにすれば、肘の着脱時にカバーを取り外す必要が無い。
【０１０２】  また、左右支持部５１が、支持部材である支持基部４から下方に被支持部材である前後支持部５３を懸吊支持するリンク部材５１ｂを有している。
【０１０３】  このようなリンク部材５１ｂによる懸吊構造を採用すると、肘取付部６を引き出すための上下方向の空間をリンク部材５１ｂの懸吊距離の間で確保し易いものとなる。
【０１０４】  また、前後支持部５２が、支持部材である左右支持部５１に設けたカム面５２ａと、前後支持部５２に設けられカム面５２ａに沿って摺動するカムフォロア部材５２ｂとを有している。
【０１０５】  このようなカム構造にすると、水平方向の動作が主体となるため、肘取付部６を引き出すための上下方向の空間を極力狭めないようにすることができる。
【０１０６】  また、支持基部４が、脚１に対し水平回転可能に設けられている。
【０１０７】  このようにすると、回転椅子であっても肘付き椅子の前後左右揺動動作を有効に実現できるものとなる。
【０１０８】  また、脚支柱１３が支持基部４を昇降可能かつ回転可能に支持する昇降機構を備え、当該昇降機構が、伸縮動作を行う昇降機構本体であるガススプリング１４と、伸縮動作を制御するための昇降レバー１４ｂを有し、昇降レバー１４ｂを肘取付部６の下面側に配している。
【０１０９】  このように構成すれば、昇降レバー１４ｂを肘取付部６とともに支持基部４から適切に引き出すことができる。
【０１１０】  なお、各部の具体的な構成は、上述した実施形態のみに限定されるものではない。
【０１１１】  上記実施形態では、カム面５２ａを前後支持部５２に設け、カムフォロア部材５２ｂを接続部材５３に設けたが、逆にしてもよい。
【０１１２】  また、左右支持部５１と前後支持部５２の上下関係が逆となった場合にも、本発明を有効に適用することができる。この場合、肘取付部６は前後支持部５２に取り付けてもよい。肘架け８が前後に揺動しても安心感が保てるからである。
【０１１３】  さらに、肘取付部６の下面側に、座２の動作を制御すべく操作するための他の操作部、例えばロッキング機構の操作部や背凭れ傾動機構が設けられた場合にも、上記昇降機構の操作部を設ける場合に準じた作用効果が奏される。
【０１１４】  さらに、支持機構５は、前後支持部５２を支持基部４に前後方向に動作可能に取り付け、及び左右支持部５１を前後支持部５２に左右方向に動作可能に取り付け、左右支持部５１に座２を取り付けてもよい。この場合、肘取付部６は支持基部４に設けてもよいが前後支持部５２に設けてもよい。この場合、座２が前後左右方向に移動しても、肘掛けは前後方向にのみ移動し左右方向には移動しない。これは従来の背座連動式の事務用回転椅子の肘掛けの動きと同じで、着座者は前方向は脚で踏ん張ることができ、後方向は背３で支えられているため、肘掛けが前後方向に移動しても不安感を感じない。
【産業上の利用可能性】
【０１１５】  本発明は、オフィス等において好適に適用され得る椅子に適用することができる。
【符号の説明】
【０１１６】１・・・脚１３・・・脚支柱２・・・座４・・・支持基部５・・・支持機構（動作機構）５１・・・左右支持部５２・・・前後支持部６・・・肘取付部
【図１】
0006735851.tif 000002
【図２】
0006735851.tif 000003
【図３】
0006735851.tif 000004
【図４】
0006735851.tif 000005
【図５】
0006735851.tif 000006
【図６】
0006735851.tif 000007
【図７】
0006735851.tif 000008
【図８】
0006735851.tif 000009
【図９】
0006735851.tif 000010
【図１０】
0006735851.tif 000011
【図１１】
0006735851.tif 000012
【図１２】
0006735851.tif 000013
【図１３】
0006735851.tif 000014
【図１４】
0006735851.tif 000015
【図１５】
0006735851.tif 000016
【図１６】
0006735851.tif 000017
【図１７】
0006735851.tif 000018
【図１８】
0006735851.tif 000019
【図１９】
0006735851.tif 000020
【図２０】
0006735851.tif 000021